(57)【要約】【課題】焦点調整可能なレンズモジュールを提供する。【解決手段】本発明によるレンズモジュールは、ベース、チューブ、レンズ、磁化可能な柱、ボビン、コイル及び磁石セットを含む。ベースは複数の突起を有する底部を有し、チューブは突起に回転可能に配置される。レンズはチューブ内に配置され、磁化可能な柱はチューブの近傍に配置される。ボビンは対向する二つの貫通穴を有し、コイルは二つの貫通穴の間に位置し、且つ磁化可能な柱は貫通穴とコイルを通り抜ける。ボビンはチューブにカップリングされ、磁石セットはコイルの近傍に配置される。また、チューブは複数の階段状構造を有し、且つ各突起は、対応する階段状構造に接触する。電流がコイルに導通されるときに、コイルと磁石セットとの間に生じた作用力がコイルを磁化可能な柱に沿って移動させ、ボビンを押すことにより、チューブを回転させる。【選択図】図５Ａ
2008015490.tif 000002
【特許請求の範囲】
【請求項１】
複数の突起が設けられる底部を有するベースと、
前記複数の突起に回転可能に配置され、複数の階段状構造を有するチューブであって、当該各階段状構造は複数の階層を含み、当該各階層に段差を有し、前記各突起は、それぞれ、対応する当該階段状構造の前記複数の階層の内の一つに接触するチューブと、
前記チューブ内に固定されるレンズと、
前記ベース内に配置され、前記チューブの近傍に位置し、両端が前記ベースの底部と所定の距離で隔てられる磁化可能な柱と、
対向する二つの貫通穴を有し、前記磁化可能な柱は当該二つの貫通穴を貫通し、前記チューブとカップリングされるボビンと、
前記二つの貫通穴の間に位置し、前記磁化可能な柱に貫通されるコイルと、
前記コイルの近傍に配置され、前記コイルに電流を導通するときに、前記コイルとの間に生じた作用力により前記コイルを前記磁化可能な柱に沿って移動し前記ボビンを押し、前記チューブを回転させる磁石セットと、
を有する、
レンズモジュール。
【請求項２】
前記磁石セットは、更に、
前記コイルの、前記チューブを設ける側の反対側に設置される第一の磁石と、
前記コイルの、前記ベースの底部側の反対側に設置される第二の磁石と、
を有し、
前記第一の磁石と前記第二の磁石の、前記コイルに面する表面の磁極が同じである、
請求項１に記載のレンズモジュール。
【請求項３】
前記磁石セットは、更に、
前記コイルと前記ベースの底部との間に位置する第一の磁石と、
前記第一の磁石と共に前記コイルの対向する両側に配置される第二の磁石と、
を有し、
前記第一の磁石と前記第二の磁石の、前記コイルに面する表面の磁極が同じである、
請求項１に記載のレンズモジュール。
【請求項４】
前記ボビンは、第一のカップリング部を有し、前記チューブの外周壁は、当該第一のカップリング部に対応する第二のカップリング部を有し、当該第一のカップリング部は、当該第二のカップリング部とカップリングされる、
請求項１に記載のレンズモジュール。
【請求項５】
前記第一のカップリング部は、みぞであり、前記第二のカップリング部は、ほぞである、
請求項４に記載のレンズモジュール。
【請求項６】
前記第一のカップリング部は、ラックであり、前記第二のカップリング部は、前記チューブの外周壁に配列される複数の歯である、
請求項４に記載のレンズモジュール。
【請求項７】
前記磁化可能な柱は、磁化可能な鋼柱である、
請求項１に記載のレンズモジュール。
【請求項８】
前記ベースに配置され、前記ベースの底部と対向するカバーを更に有し、
前記カバーは、前記レンズを露出させるための開口を有する、
請求項１に記載のレンズモジュール。
【請求項９】
前記カバーと前記チューブとの間に設けられるばねを更に有する、
請求項８に記載のレンズモジュール。
【請求項１０】
前記ベースの底部は、環状荷重受け部を更に有し、前記複数の突起は、共に当該環状荷重受け部の頂面に位置する、
請求項１に記載のレンズモジュール。
【請求項１１】
前記ベースの底部は、環状荷重受け部を更に有し、前記複数の突起は、共に当該環状荷重受け部の外周に位置する、
請求項１に記載のレンズモジュール。
【請求項１２】
複数の突起が設けられる底部を有するベースと、
前記複数の突起に回転可能に配置され、複数の階段状構造を有するチューブであって、当該各階段状構造は複数の階層を含み、当該各階層の間に段差を有し、前記各突起は、それぞれ、対応する当該階段状構造の前記複数の階層のうちの一つに接触するチューブと、
前記チューブ内に配置されるレンズと、
対向する第一端及び第二端を有する第一の磁石と、対向する第三端及び第四端を有し、当該第三端が前記第一端と接続され、当該第二端及び前記第四端がそれぞれ前記ベースと接続され、前記第一端及び当該第三端の磁極が第一の磁極であり、前記第二端及び当該第四端の磁極が第二の磁極である第二の磁石と、を有し、前記ベース内に配置され、前記チューブの近傍に位置し、両端が前記ベースの底部と所定の距離で隔てられる磁石セットと、
対向する二つの貫通穴を有し、前記磁石セットは当該二つの貫通穴を貫通し、前記チューブとカップリングされるボビンと、
前記二つの貫通穴の間に位置し、前記磁石セットに貫通され、電流が導通されるときに、前記磁石セットとの間に生じた作用力により磁石セットに沿って移動され、前記ボビンを押し、前記チューブを回転させるコイルと、
を有する、
レンズモジュール。
【請求項１３】
前記ボビンは第一のカップリング部を有し、前記チューブの外周壁は当該第一のカップリング部に対応する第二のカップリング部を有し、当該第一のカップリング部は、当該第二のカップリング部とカップリングされる、
請求項１２に記載のレンズモジュール。
【請求項１４】
前記第一のカップリング部は、みぞであり、前記第二のカップリング部は、ほぞである、
請求項１３に記載のレンズモジュール。
【請求項１５】
前記第一のカップリング部は、ラックであり、前記第二のカップリング部は、前記チューブの外周壁に配列される複数の歯である、
請求項１３に記載のレンズモジュール。
【請求項１６】
前記ベースに配置され、前記ベースの底部と対向するカバーを更に含み、
前記カバーは、前記レンズを露出させるための開口を有する、
請求項１２に記載のレンズモジュール。
【請求項１７】
前記カバーと前記チューブとの間に設けられるばねを更に含む、
請求項１６に記載のレンズモジュール。
【請求項１８】
前記ベースの底部は、環状荷重受け部を有し、前記複数の突起は、共に当該環状荷重受け部の頂面に位置する、
請求項１２に記載のレンズモジュール。
【請求項１９】
前記ベースの底部は、環状荷重受け部を有し、前記複数の突起は、共に当該環状荷重受け部の外周に位置する、
請求項１２に記載のレンズモジュール。
【発明の詳細な説明】
【技術分野】
【０００１】
本発明は、レンズモジュールに関し、特に、焦点調整可能なレンズモジュールに関する。
【背景技術】
【０００２】
図１を参照する。図１に示すように、従来の手動焦点調整のレンズモジュール１０は、レンズ１１０が内環部１２０内に差し込まれ、内環部１２０が焦点調整環部１３０とばね１４０との間に設けられる。焦点調整環部１３０は、段差を有するので、手動により調整されるときに、内環部１２０及びレンズ１１０をＹ軸に沿って上下移動させ、焦点調整の動作を完成させる。しかし、レンズモジュール１０は、手動により焦点調整が行われるので、使用に不便である。
【０００３】
図２を参照する。図２に示すように、ステッピングモータにより焦点調整の動作を行う従来のレンズモジュール２０は、レンズ１１０が内環部１２０に差し込まれ、内環部１２０が焦点調整環部１３０′とばね１４０との間に設けられる。このレンズモジュール２０の焦点調整方式は、電動方式によりステッピングモータ１５０を制御し伝動部（例えば、ボルト、ウォームギア、ギア或いは焦点調整環部１３０′）を駆動することにより、内環部１２０及びレンズ１１０をＹ軸に沿って上下移動させ、焦点調整の動作を完成させるのである。ところが、レンズモジュール２０は、自動焦点調整が可能であるが、体積が大きく、生産コストが高く、焦点調整を行う時に電力消費も大きい。
【０００４】
図３Ａと図３Ｂは、ボイスコイルモータ（Ｖｉｏｃｅ  Ｃｏｉｌ  Ｍｏｔｏｒ：ＶＣＭ）により焦点調整の動作を行う従来の二種類のレンズモジュールを示す図である。まず、図３Ａを参照する。図３Ａに示すように、従来のレンズモジュール３０において、レンズ１１０が導磁内環部１６０内に差し込まれ、且つ導磁内環部１６０の両側に配置される磁石１７０と導磁内環部１６０との間に生じる作用力により導磁内環部１６０の左右移動を防止し、レンズ１１０をＸ軸上に固定させる。また、このレンズモジュール３０の調整方式は、コイル１８０に流す電流の大小を制御し、異なる磁力を生成させることにより、導磁内環部１６０及びレンズ１１０をＹ軸に沿って上下移動させ、焦点調整の動作を完成させるのである。しかしながら、レンズモジュール３０の焦点調整速度が遅く、且つ焦点調整後、ばね１４０の弾性力ｇにより導磁内環部１４０が下へ移動されることを防止し、レンズ１１０の位置を維持するために、コイル１８０に電流を導通し続ける必要があるので、レンズモジュール３０が使用されるときに電力消費が大きい。また、前記作用力によりレンズ１１０をＸ軸上に固定するときには、レンズ１１０が傾斜するといった問題が生じやすい。さらに、レンズモジュール３０は、耐震性が良くない。
【０００５】
次に図３Ｂを参照する。図３Ｂに示すように、従来のレンズモジュール４０において、レンズ１１０が導磁内環部１６０′内に差し込まれ、且つレンズ１１０がガイド１８５で導磁内環部１６０′の左右移動を防止することによりＸ軸上に固定される。また、センサー１９０が、導磁内環部１６０′のＹ軸上にある位置を検出し、その検出結果としての検出信号を特定用途向け集積回路（Ａｐｐｌｉｃａｔｉｏｎ  Ｓｐｅｃｉｆｉｃ  Ｉｎｔｅｇａｔｅｄ  Ｃｉｒｃｕｉｔ：ＡＳＩＣ）１９５に戻させる。ＡＳＣＩ１９５は、導磁内環部１６０′の位置に基づいてコイル１８０を駆動し、導磁内環部１６０′とレンズ１１０を所定の位置に移動させることにより、焦点調整の動作を完成させる。なお、焦点調整後、レンズモジュール４０は、コイル１８０に電流を導通し続ける必要がないが、その生産コストが依然高い。
【０００６】
図４を参照する。図４に示すように、従来の両様式の電動焦点調整のレンズモジュール５０において、レンズ１１０が内環部１２０′内に差し込まれ、且つ内環部１２０′の外に環状磁石１９６が設けられる。レンズモジュール５０の焦点調整方式は、コイル１８０に流す電流の方向を変更し、コイル１８０と環状磁石１９６との間において引力或いは斥力を生成させることにより、環状磁石１９６、内環部１２０′及びレンズ１１０をＹ軸に沿って上端或いは下端に移動させるのである。また、導磁プレート１９７が局部的に磁化されることが可能であるので、焦点調整が完了し、コイル１８０に電流の導通が停止された後に、レンズ１１０が上端に移動した場合、上方にある導磁プレート１９７と環状磁石１９６との間に引力が生成されることが依然可能であり、そのため、レンズ１１０が上端に固定される。同様に、レンズ１１０が下端に移動した場合、下方にある導磁プレート１９７と環状磁石１９６との間に引力が生成されることが依然可能であり、そのため、レンズ１１０が下端に固定される。しかし、レンズモジュール５０は、両様に切り替えられることしかできなく、且つ体積も大きい。また、環状磁石１９６の生産コストが高いので、レンズモジュール５０の生産コストもそれにつれて高くなる。
【発明の開示】
【発明が解決しようとする課題】
【０００７】
本発明の目的は、コストが低く、体積が小さく、且つ多様的に焦点調整可能なレンズモジュールを提供することにある。
【課題を解決するための手段】
【０００８】
前述の目的を達成するために、本発明によるレンズモジュールは、ベース、チューブ、レンズ、磁化可能な柱、ボビン、コイル及び磁石セットを含む。そのうち、ベースは、複数の突起が設けられる底部を有し、チューブは、当該突起に回転可能に設置される。レンズは、チューブ内に配置され、磁化可能な柱は、ベース内且つチューブ近傍に配置される。磁化可能な柱の両端は、前記底部から所定の距離で隔てられる。ボビンは、互いに対向する二つの貫通穴を有し、コイルは、この二つの貫通穴の間に位置し、且つ磁化可能な柱は、これらの貫通穴とコイルを通り抜けるように設けられる。ボビンはチューブにカップリングされ、磁石セットはコイルの近傍に配置される。また、チューブは複数の階段状構造を有する。各階段状構造は、複数の階層を有し、且つ各階層の間は、段差を有する。各突起は、対応する階段状構造の階層のうちの一つと接触する。また、コイルに電流を導通するときに、コイルと磁石セットとの間に生じた作用力は、コイルを磁化可能な柱に沿って移動させてボビンを押すことにより、チューブを回転させる。
【０００９】
また、本発明は、他のレンズモジュールを提供する。このレンズモジュールは、ベース、チューブ、レンズ、磁石セット、ボビン及びコイルを含む。そのうち、ベースは、複数の突起が設けられる底部を有し、チューブは、当該突起に回転可能に配置される。レンズは、チューブ内に配置され、磁石セットは、ベース内且つチューブの近傍に位置する。磁石セットの両端は、ベースの底部から所定の距離で隔てられる。ボビンは、対向する二つの貫通穴を有し、且つボビンは、チューブにカップリングされる。コイルは、その二つの貫通穴の間に位置し、磁石セットは、貫通穴とコイルを通り抜けるように設けられる。また、チューブは複数の階段状構造を有する。各階段状構造は、複数の階層を有し、且つ各階層の間は、段差を有する。各突起は、対応する階段状構造の階層のうちの一つに接触する。磁石セットは、第一の磁石と第二の磁石を含み、そのうち、第一の磁石は対向する第一端と第二端を有し、第二の磁石は対向する第三端と第四端を有する。第一端は第三端と接続され、第二端と第四端は、それぞれベースと接続される。第一端と第三端の磁極は、第一の磁極とし、第二端と第四端の磁極は、第二の磁極とする。また、コイルに電流を導通する時に、コイルと磁石セットとの間に生じた作用力は、コイルを磁石セットに沿って移動させてボビンを押すことにより、チューブを回転させる。
【発明の効果】
【００１０】
本発明は、ボビンの移動によりチューブを回転させて、環状荷重受け部の突起と接触する階層を変更することにより、焦点調整の目的を達成する。本発明によるレンズモジュールは、構造が簡単であるので、素子の材料コストと組み立てコストを共に低減し、且つ体積が小さい利点を有する。また、焦点調整後、コイルに電流を導通し続ける必要が無いので、エネルギーを節約することもできる。
【発明を実施するための最良の形態】
【００１１】
次に、添付した図面を参照しながら、本発明の好適な実施形態を詳細に説明する。
【００１２】
図５Ａないし図５Ｃを参照する。本実施例のレンズモジュール２００は、ベース２１０、チューブ２２０、レンズ２３０、磁化可能な柱２４０、ボビン２５０、コイル２６０、磁石セット２７０及びカバー２８０を含む。ベース２１０は、底部２１２ａ及びそれに接続される複数の側壁２１２ｂと２１４ａを有し、底部２１２ａと側壁２１２ｂは絶縁材料からなり、側壁２１４ａは金属材料からなり、且つ底部２１２ａは、環状荷重受け部２１６と複数の突起２１８を有する。突起２１８は、例えば、環状荷重受け部２１６に位置し、チューブ２２０は突起２１８に回転可能に配置される。レンズ２３０はチューブ２２０内に配置され、磁化可能な柱２４０は、例えば導磁鋼柱であり、ベース２１０内且つチューブの近傍に設けられる。磁化可能な柱２４０の両端は、ベース２１０の底部２１２ａから所定の距離で隔てられ、且つ磁化可能な柱２４０は、ベース２１０の対向する両側壁２１４ａの間に接続される。ボビン２５０は、対向する二つの貫通穴２５２を有し、コイル２６０は、それらの貫通穴２５２の間に位置し、且つ磁化可能な柱２４０は、それらの貫通穴２５２とコイル２６０を通り抜けるように設けられる。ボビン２５０はチューブ２２０にカップリングされ、磁石セット２７０はコイル２６０の近傍に配置される。また、チューブ２２０の周縁は、複数の階段状構造２２２を有する。各階段状構造２２２は、複数の階層２２２ａを含み、各階層２２２ａの間は、段差を有する。各突起２１８は、対応する階段状構造２２２の複数の階層２２２ａのうちの一つに接触する。カバー２８０は、ベース２１０の上に配置され、且つベース２１０の底部２１２ａと対向し、側壁２１２ｂと２１４ｂと共に接触することにより、ベース２１０をカバーする。カバー２８０は、レンズ２３０を露出させるための開口２８２を有する。
【００１３】
また、図５Ｂと図６を参照する。磁石２７０は、第一の磁石２７２と第二の磁石２７４を含み、そのうち、第一の磁石２７２は、コイル２６０の、チューブ２２０側と反対する側に設けられ、第二の磁石２７４は、コイル２６０の、底部２１２ａ側と反対する側に設けられる。具体的に言えば、第一の磁石２７２は、例えば側壁２１４ａに固定され、第二の磁石２７４は、例えばカバー２８０に配置される。コイル２６０は、第一の磁石２７２とチューブ２２０との間、及び、第二の磁石２７４とベース２１０の底部２１２ａとの間に位置する。また、第一の磁石２７２と第二の磁石２７４の、コイル２６０の表面に面する表面の磁極は、第一の磁極である。第一の磁石２７２の、側壁２１４ａに接続する表面、及び、第二の磁極の、カバー２８０に接続する表面における磁極は、第二の磁極である。第一の磁極は、Ｓ極とＮ極のうちの一つであり、且つ、第一の磁極はＳ極であるときに、第二の磁極はＮ極であり、逆に、第一の磁極はＮ極であるときに、第二の磁極はＳ極である。なお、本実施例において、第一の磁極は、例えばＮ極であり、第二の磁極は、例えばＳ極である。
【００１４】
図５Ｂと図７を参照する。ボビン２５０は、例えば第一のカップリング部２５４を有し、チューブ２２０の外側壁は、例えば第一のカップリング部２５４と組み合わせる第二のカップリング部２２４を有し、且つ、第一のカップリング部２５４と第二のカップリング部２２４とはカップリング接続される。そのうち、第一のカップリング部２５４は例えば、みぞであり、第二のカップリング部２２４は例えば、ほぞである。
【００１５】
図５Ａ、図６及び図７を参照する。コイル２６０に電流を導通するときに、コイル２６０と磁石セット２７０との間に生じた作用力は、コイル２６０を磁化可能な柱２４０に沿って移動させてボビン２５０を押すことにより、チューブ２２０を回転させる。詳しくは、本実施例において、コイル２６０に流す電流の方向を制御することにより、コイル２６０が磁化可能な柱２４０に沿って移動する方向を制御する。コイル２６０に電流Ｉ１を導通する時に、コイル２６０が矢印Ａ１の方向に沿って移動し、これにより、ボビン２５０を押して矢印Ａ１の方向に沿って移動させる。ボビン２５０の第一のカップリング部２５４とチューブ２２０の第二のカップリング部２２４とはカップリング接続されるので、ボビン２５０は、移動するときにチューブ２２０を矢印Ａ２の方向に沿って回転させることができる。また、チューブ２２０が矢印Ａ２の方向に沿って回転するときに、環状荷重受け部２１６の突起２１８と接触する階層２２２ａが変わることができる。よって、チューブ２２０及びチューブ２２０内に配置されるレンズ２３０と、ベース２１０の底部２１２ａとの間の距離がそれにつれて変わるので、焦点調整の目的を達成することができる。同様に、電流Ｉ１の方向と反対する電流を導通するときに、ボビン２５０が矢印Ａ３の方向に沿って移動し、チューブ２２０を矢印Ａ４の方向に沿って回転させ、これにより、チューブ２２０及びチューブ２２０に配置されるレンズ２３０と、ベース２１０の底部２１２ａとの間の距離がそれにつれて変わり、焦点調整の目的を達成することができる。
【００１６】
本実施例のレンズモジュール２００は、設計上において測量の概念に基づいて焦点調整を行うものである。即ち、ボビン２５０によりチューブ２２０の第二のカップリング部２２４を押すだけで、次の階層２２２ａを突起２１８に接触させることができるようにチューブ２２０を回転させることにより、焦点調整を行う。よって、本実施例のレンズモジュール２００は、精巧な回路制御及び精度の高い構造を要しなく、電流を導通する時間を制御するだけで、焦点を精密に調整する機能を実現できるので、回路の制御コストを節約することができる。また、各階段状構造２２２は、複数の階層２２２ａを有するので、レンズモジュール２００は、多様式の焦点調整機能を有する。また。焦点調整が完了した後に、コイル２６０に電流を導通し続ける必要が無いので、電力消費を節約することもできる。さらに、本実施形態のレンズモジュール２００の構造が簡単であるので、その体積を小さくすることができる。また、磁性素子の生産と組み立てが容易であるので、生産コストを節約することもできる。
【００１７】
なお、焦点を調整するときのレンズ２３０の安定性を向上するために、レンズモジュール２００にばね２９０を増設することも可能である。このばね２９０はカバー２８０とチューブ２２０との間に設けられるので、焦点を調整するときに生じたレンズ２３０の傾斜問題を避けることができる。
【００１８】
また、本実施例において、第一のカップリング部はほぞであり、第二のカップリング部はみぞであるが、本発明は、ボビン２５０とチューブ２２０とのカップリング方式を限定しない。例えば、ボビンとチューブとのもう一つのカップリング方式が図８に示される。図８に示すように、レンズモジュール２００ａのボビン２５０ａの第一のカップリング部２５４ａがラックであり、チューブ２２０ａの第二のカップリング部２２４ａがチューブ２２０ａの外側壁に配列される複数の歯である。ラックと歯との組み合わせにより、ボビン２５０ａが移動するときにチューブ２２０ａを回転させ、焦点調整の目的を達成する。また、レンズモジュール２００ａの焦点調整方式及び優れた点は、レンズモジュール２００と類似するので、ここではその説明を省略する。
【００１９】
本発明において、第一の磁石２７２と第二の磁石２７４との相対位置については、図６に示される実施例だけを制限しない。図９を参照する。図９は、本発明の他の実施例におけるレンズモジュールの磁路を示す図である。本実施例において、第一の磁石２７２と第二の磁石２７４は、コイル２６０の対向する両側に配置されても良い。そのうち、第一の磁石２７２は、コイル２６０とベース２１０の底部２１２ａとの間に位置する。また、第一の磁石２７２と第二の磁石２７４の、コイル２６０に面した表面の磁極は、例えばすべて第一の磁極（Ｎ極）である。
【００２０】
図１０Ａないし図１０Ｄを参照する。本発明の他の実施例に係わるレンズモジュール２００ｂは、ベース２１０ｂ、チューブ２２０ｂ、レンズ２３０（図１０Ａには図示せず）、ボビン２５０ｂ、コイル２６０、磁石セット２７０ｂ及びカバー２８０を含む。そのうち、ベース２１０ｂは、複数の突起２１８を有する底部２１２ａ′を有し、チューブ２２０ｂは、突起２１８に回転可能に配置される。レンズ２３０はチューブ２２０ｂ内に配置され、磁石セット２７０ｂは、ベース２１０ｂ内に配置され、且つチューブ２２０ｂの近傍に位置する。磁石セット２７０ｂの両端は、ベース２１０ｂの底部２１２ａ′と所定の距離で隔てられる。ボビン２５０ｂは、対向する二つの貫通穴２５２を有し、且つ、チューブ２２０ｂにカップリングされる。コイル２６０は、それらの貫通穴２５２の間に位置し、磁石セット２７０ｂは、貫通穴２５２とコイル２６０を通り抜ける。また、ベース２１０ｂは、例えば、環状荷重受け部２１６を更に有し、突起２１８は、この環状荷重受け部２１６の外周に位置する。チューブ２２０ｂは、環状荷重受け部２１６と突起２１８に配置され、且つ複数の階段状構造２２２を有する。各階段状構造２２２は、複数の階層２２２ａを有し、且つ各階層２２２ａの間は段差を有し、各突起２１８は、対応する階段状構造２２２のそれらの階層２２２ａのうちの一つに接触する。磁石セット２７０ｂは、第一の磁石２７２′と第二の磁石２７４′を含み、そのうち、第一の磁石２７２′は、対向する第一端２７２ａと第二端２７２ｂを有し、第二の磁石２７４′は、対向する第三端２７４ａと第四端２７４ｂを有する。第一端２７２ａは第三端２７４ａと接続され、第二端２７２ｂと第四端２７４ｂは、それぞれベース２１０ｂの第二部分２１４′と接続される。第一端２７２ａと第三端２７４ａの磁極は、第一の磁極であり、第二端２７２ｂと第四端２７４ｂの磁極は、第二の磁極である。
【００２１】
カバー２８０は、ベース２１０ｂの上に配置され、且つベース２１０ｂの底部２１２ａ′と対向するように設けられることによりベース２１０ｂを覆う。このカバー２８０は、レンズ２３０を露出させるための開口２８２を有する。また、第一の磁極は、Ｓ極とＮ極のうちの一つであり、且つ、第一の磁極がＳ極であるときに、第二の磁極がＮ極であり、逆に、第一の磁極がＮ極であるときに、第二の磁極がＳ極である。本実施例において、第一の磁極は、例えばＮ極であり、第二の磁極は、例えばＳ極である。
【００２２】
前述したボビン２５０ｂは、例えば第一のカップリング部２５４ａを有し、チューブ２２０ｂの外側壁は、例えば第一のカップリング部２５４ａと合わせる第二のカップリング部２２４ａを有し、且つ、第一のカップリング部２５４ａと第二のカップリング部２２４ａとは、カップリングされる。そのうち、第一のカップリング部２５４ａは、例えば、ラックであり、第二のカップリング部２２４ａは、例えば、チューブ２２０ｂの外周壁に配列される複数の歯である。第一のカップリング部２５４ａと第二のカップリング部２２４ａとのカップリング方式を示す図が図８と類似するので、ここでは、その図を省略する。また、本実施例において、ボビン２５０ｂとチューブ２２０ｂとのカップリング方式がほぞとみぞとの組み合わせであっても良い。
【００２３】
本実施例のレンズモジュール２００ｂの焦点調整方式及び利点は、前述したレンズモジュール２００（図５Ａに示すように）の焦点調整方式及び利点とほぼ同じであるので、ここではその説明を省略する。また、焦点調整する時に、レンズ２３０を更に安定させるために、カバー２８０とチューブ２２０ｂとの間にばね２９０を増設しても良い。
【００２４】
なお、レンズモジュール２００ｂにおいて、突起２１８が環状荷重受け部２１６に設置されても良いが、チューブ２２０ｂの外形がそれにつれて調整される必要がある。同じように、図５Ａに示すレンズモジュール２００において、突起２１８が環状荷重受け部２１６に外周に設置されても良いが、チューブ２２０の外形もそれについて調整される必要がある。
【００２５】
ゆえに、本発明のレンズモジュールは、少なくとも以下の利点を有する。
【００２６】
１、本発明のレンズモジュールは、構造が簡単であるので、素子の材料コストと組み立てコストを節約することができ、且つ体積が小さい。
【００２７】
２、焦点調整後、電流をコイルに導通し続ける必要が無いので、エネルギーを節約することができる。
【００２８】
３、本発明のレンズモジュールは、精巧の回路制御及び精度の高い構造を要しないので、回路の制御コストを節約することができる。
【００２９】
４、各階段状構造が複数の階段を有するので、本発明によるレンズモジュールは、多様式の焦点調整機能を有する。
【００３０】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００３１】
【図１】従来の手動焦点調整のレンズモジュールを示す図である。
【図２】ステッピングモータにより焦点調整の動作を行う従来のレンズモジュールを示す図である。
【図３Ａ】ボイスコイルモータにより焦点調整の動作を行う従来のレンズモジュールを示す図である。
【図３Ｂ】ボイスコイルモータにより焦点調整の動作を行う従来の他のレンズモジュールを示す図である。
【図４】両様式の電動焦点調整のレンズモジュールを示す図である。
【図５Ａ】本発明の一実施例におけるレンズモジュールの斜視図である。
【図５Ｂ】図５Ａにおけるレンズモジュールの局部分解図である。
【図５Ｃ】図５Ａにおけるボビンの斜視図である。
【図６】図５Ａにおけるレンズモジュールの磁路を示す図である。
【図７】図５Ｂにおけるチューブとボビンとのカップリングを示す図である。
【図８】本発明の他の実施例におけるレンズモジュールのチューブとボビンとのカップリングを示す図である。
【図９】本発明の他の実施例におけるレンズモジュールの磁路を示す図である。
【図１０Ａ】本発明の他の実施例におけるレンズモジュールの斜視図である。
【図１０Ｂ】図１０Ａにおけるレンズモジュールの局部分解図である。
【図１０Ｃ】図１０Ａにおけるボビンの斜視図である。
【図１０Ｄ】図１０Ａのレンズモジュールにおける一部の素子の組み合わせ図である。
【符号の説明】
【００３２】
１０、２０、３０、４０、５０、２００、２００ａ、２００ｂ  レンズモジュール
１１０、２３０  レンズ
１２０、１２０′  内環部
１３０、１３０′  焦点調整環部
１４０、２９０  ばね
１５０  ステッピングモータ
１６０、１６０′  導磁内環部
１７０  磁石
１８０、２６０  コイル
１８５  ガイド
１９０  センサー
１９５  特定用途向け集積回路
１９６  環状磁石
１９７  導磁プレート
２１０、２１０ｂ  ベース
２１２ａ、２１２ａ′  底部
２１２ｂ、２１４ａ  側壁
２１６  環状荷重受け部
２１８  突起
２２０、２２０ａ、２２０ｂ  チューブ
２２２  階段状構造
２２２ａ  階層
２２４、２２４ａ  第二のカップリング部
２３０  レンズ
２４０  磁化可能な柱
２５０、２５０ａ、２５０ｂ  ボビン
２５２  貫通穴
２５４、２５４ａ  第一のカップリング部
２６０  コイル
２７０、２７０ｂ  磁石セット
２７２、２７２′  第一の磁石
２７２ａ  第一端
２７２ｂ  第二端
２７４、２７４′  第二の磁石
２７４ａ  第三端
２７４ｂ  第四端
２８０  カバー
２８２  開口
２９０  ばね
Ａ１〜Ａ４  矢印
Ｉ１  電流
【図１】
2008015490.tif 000003
【図２】
2008015490.tif 000004
【図３Ａ】
2008015490.tif 000005
【図３Ｂ】
2008015490.tif 000006
【図４】
2008015490.tif 000007
【図５Ａ】
2008015490.tif 000008
【図５Ｂ】
2008015490.tif 000009
【図５Ｃ】
2008015490.tif 000010
【図６】
2008015490.tif 000011
【図７】
2008015490.tif 000012
【図８】
2008015490.tif 000013
【図９】
2008015490.tif 000014
【図１０Ａ】
2008015490.tif 000015
【図１０Ｂ】
2008015490.tif 000016
【図１０Ｃ】
2008015490.tif 000017
【図１０Ｄ】
2008015490.tif 000018